【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のワイヤレスシステムの中の第1のワイヤレスシステムに対する許可に関してユーザ機器(UE)を識別するステップと、
前記複数のワイヤレスシステムに関して前記UEを特徴づける属性を判断するステップと、
前記複数のワイヤレスシステムに関して前記UEを特徴づける前記属性に基づいて、前記第1のワイヤレスシステムに関する前記UEの許可優先順位を判断するステップであって、前記許可優先順位が、前記UEが許可され得る前記第1のワイヤレスシステムのリソース使用の割合である、ステップと、
前記第1のワイヤレスシステムに関する前記UEの前記許可優先順位に基づいて、前記第1のワイヤレスシステムに対して前記UEを許可するかどうかを判断するステップと
を含む、方法。
【請求項２】
前記第1のワイヤレスシステムに対して前記UEを許可するかどうかを判断する前記ステップが、
前記UEの前記許可優先順位を前記第1のワイヤレスシステムの現在のリソース使用と比較するステップと、
前記第1のワイヤレスシステムの前記現在のリソース使用が前記UEの前記許可優先順位未満である場合、前記第1のワイヤレスシステムに対して前記UEを許可するステップと
を含む、請求項1に記載の方法。
【請求項３】
前記複数のワイヤレスシステムに関する前記UEの属性を判断する前記ステップが、前記UEが前記第1のワイヤレスシステム内に進行中のトラフィックを有するかどうかを判断するステップを含み、
前記UEが前記第1のワイヤレスシステム内に進行中のトラフィックを有するかどうかを判断する前記ステップが、
再関連付け要求メッセージを前記UEから受信するステップと、
前記再関連付け要求メッセージに基づいて、前に前記UEと関連付けられたアクセスポイントの識別子を取得するステップと、
前記前に関連付けられたアクセスポイントから前記UEに関するトラフィックインジケータを受信するステップと、
前記トラフィックインジケータに基づいて、前記UEが前記第1のワイヤレスシステム内に進行中のトラフィックを有するかどうかを判断するステップと
を含む、請求項1に記載の方法。
【請求項４】
前記複数のワイヤレスシステムに関して前記UEを特徴づける属性を判断する前記ステップが、前記UEが前記複数のワイヤレスシステムの各々に関するサービス加入を有するかどうかを判断するステップを含む、請求項1に記載の方法。
【請求項５】
前記複数のワイヤレスシステムに関して前記UEを特徴づける属性を判断する前記ステップが、前記UEが前記第1のワイヤレスシステムだけに関するサービス加入を有するかどうかを判断するステップを含み、
前記UEが前記第1のワイヤレスシステムだけに関するサービス加入を有するかどうかを判断する前記ステップが、
前記第1のワイヤレスシステム内の前記UEの認証の間に、前記UEのUE識別を取得するステップと、
前記UE識別が第2のワイヤレスシステム内で使用され得るかどうかに基づいて、前記UEが前記第2のワイヤレスシステムに関するサービス加入を有するかどうかを判断するステップと
を含み、
前記第2のワイヤレスシステムに関する前記UE識別に基づいて、前記第2のワイヤレスシステムに関する前記UEのホームネットワークまたは等価ネットワークのネットワーク識別を判断するステップと、
前記UEの前記ホームネットワークまたは前記等価ネットワークのネットワークエンティティと、前記第2のワイヤレスシステムに関する現在のネットワークのネットワーク識別とに基づいて、前記UEが前記第2のワイヤレスシステム内でローミングしているかどうかを判断するステップと
をさらに含む、請求項1に記載の方法。
【請求項６】
前記複数のワイヤレスシステムに関して前記UEを特徴づける属性を判断する前記ステップが、
前記複数のワイヤレスシステムの各々に関する前記UEに対するサービス料金を判断するステップと、
前記UEが前記複数のワイヤレスシステムのうちのいずれかの中でローミングしているかどうかを判断するステップと、
前記第1のワイヤレスシステムに関する前記UEの能力を判断するステップ、又は、前記第1のワイヤレスシステムに関する前記UEのハンドオーバ履歴を判断するステップと
を含む、請求項1に記載の方法。
【請求項７】
前記複数のワイヤレスシステムに関して前記UEを特徴づける属性を判断する前記ステップが、前記複数のワイヤレスシステムの各々に関する前記UEの能力を判断するステップを含み、
前記第1のワイヤレスシステムに関する前記UEの能力を判断する前記ステップが、前記第1のワイヤレスシステムに関して前記UEによってサポートされる最大物理レイヤレート、前記第1のワイヤレスシステムに関して前記UEによってサポートされる少なくとも1つのセキュリティプロトコル、前記第1のワイヤレスシステムに関して前記UEによってサポートされる最大システム帯域幅、前記第1のワイヤレスシステムに関して前記UEによってサポートされる少なくとも1つの動作モードのうちの少なくとも1つに基づいて、前記UEの前記能力を判断するステップを含む、請求項1に記載の方法。
【請求項８】
前記複数のワイヤレスシステムに関して前記UEを特徴づける属性を判断する前記ステップが、フレームエラーレート(FER)、物理レイヤレート、信号対雑音比(SNR)、信号強度、チャネル品質インジケータ(CQI)、または送信電力ヘッドルームのうちの少なくとも1つに基づいて、前記第1のワイヤレスシステムに関する前記UEのチャネル品質を判断するステップを含む、請求項1に記載の方法。
【請求項９】
前記複数のワイヤレスシステムが、ワイヤレスローカルエリアネットアーク(WLAN)システムおよびセルラーシステムを含む、請求項1に記載の方法。
【請求項１０】
前記複数のワイヤレスシステムが、前記複数のワイヤレスシステムに関する少なくとも1つの制御機能を実行するように設計されたスモールセルの一部である、請求項1に記載の方法。
【請求項１１】
ワイヤレス通信のための装置であって、
複数のワイヤレスシステムの中の第1のワイヤレスシステムに対する許可に関してユーザ機器(UE)を識別するための手段と、
前記複数のワイヤレスシステムに関して前記UEを特徴づける属性を判断するための手段と、
前記複数のワイヤレスシステムに関して前記UEを特徴づける前記属性に基づいて、前記第1のワイヤレスシステムに関する前記UEの許可優先順位を判断するための手段であって、前記許可優先順位が、前記UEが許可され得る前記第1のワイヤレスシステムのリソース使用の割合である、手段と、
前記第1のワイヤレスシステムに関する前記UEの前記許可優先順位に基づいて、前記第1のワイヤレスシステムに対して前記UEを許可するかどうかを判断するための手段と
を備える、装置。
【請求項１２】
ワイヤレス通信のための方法であって、
複数のワイヤレスシステムの中の第1のワイヤレスシステムにアクセスするためにユーザ機器(UE)によってシグナリングを送るステップと、
前記第1のワイヤレスシステムに関する前記UEの許可優先順位に基づいて、前記UEが前記第1のワイヤレスシステムに対して許可されている表示を受信するステップであって、前記許可優先順位が、前記UEが許可され得る前記第1のワイヤレスシステムのリソース使用の割合であり、前記UEの前記許可優先順位が、前記複数のワイヤレスシステムに関して前記UEを特徴づける属性に基づいて判断される、受信するステップと
を含む、方法。
【請求項１３】
前記複数のワイヤレスシステムに関して前記UEを特徴づける前記属性が、前記UEが前記第1のワイヤレスシステム内に進行中のトラフィックを有するかどうか、前記UEが前記複数のワイヤレスシステムの各々に関するサービス加入を有するかどうか、前記複数のワイヤレスシステムの各々に関する前記UEに対するサービス料金、前記UEが前記複数のワイヤレスシステムのうちのいずれかの中でローミングしているかどうか、前記第1のワイヤレスシステムに関するまたは前記複数のワイヤレスシステムの各々に関する前記UEの能力、前記第1のワイヤレスシステムに関する前記UEのハンドオーバ履歴、前記第1のワイヤレスシステムに関する前記UEのチャネル品質のうちの少なくとも1つに関係する、請求項12に記載の方法。
【請求項１４】
ワイヤレス通信のための装置であって、
複数のワイヤレスシステムの中の第1のワイヤレスシステムにアクセスするためにユーザ機器(UE)によってシグナリングを送るための手段と、
前記第1のワイヤレスシステムに関する前記UEの許可優先順位に基づいて、前記UEが前記第1のワイヤレスシステムに対して許可されている表示を受信するための手段であって、前記許可優先順位が、前記UEが許可され得る前記第1のワイヤレスシステムのリソース使用の割合であり、前記UEの前記許可優先順位が、前記複数のワイヤレスシステムに関して前記UEを特徴づける属性に基づいて判断される、受信するための手段と
を備える、装置。
【請求項１５】
請求項1乃至12のいずれか1項に記載の方法を少なくとも１つのプロセッサに実行させるためのコードを記憶した非一時的コンピュータ可読記録媒体。